(57)【要約】【課題】シャワー浴時の心臓への負担を軽減し、快適性の向上した給湯機を提供すること。【解決手段】本発明の給湯機は、湯水を加熱する熱源１３と、熱源１３の出力を調節する出力操作部９と、熱源１３で加熱した温水を吐出する吐出部（シャワーヘッド）５と、異なる温度の湯水を交互に出湯する運転動作を開始する温冷スイッチ１０とを備えて、温冷スイッチ１０を操作して温冷浴運転動作を開始したときは、第１の所定時間は、温度検出手段３１で検出する温度が、温度操作部で設定した温度となるように熱源の出力を調節して吐出部から湯水を出湯させるとともに、第１の所定時間経過後は、異なる温度の湯水を交互に出湯させる。【選択図】図１
2011089692.tif 000002
【特許請求の範囲】
【請求項１】
湯水を加熱する熱源と、前記熱源で加熱した温水の温度を検出する温度検出手段と、前記熱源から出湯する温度を調節する温度操作部と、前記熱源で加熱した温水を吐出する吐出部と、異なる温度の湯水を交互に出湯する運転動作を開始する温冷スイッチとを備え、前記温冷スイッチを操作して温冷浴運転動作を開始したときは、第１の所定時間は、前記温度検出手段で検出する温度が、前記温度操作部で設定した温度となるように前記熱源の出力を調節して前記吐出部から湯水を出湯させるとともに、第１の所定時間経過後は、異なる温度の湯水を交互に出湯させることを特徴とする給湯機。
【請求項２】
熱源で加熱される前の湯水の温度を検出する入水温度検出手段を備え、前記入水温度検出手段で検出される入水温度に応じて、第１の所定時間の長さを変更することを特徴とする請求項１に記載の給湯機。
【請求項３】
外気の温度を検出する外気温度検出手段を備え、前記外気温度検出手段で検出される外気温度に応じて、第１の所定時間の長さを変更することを特徴とする請求項１に記載の給湯機。
【請求項４】
使用者の体調を設定する体調設定手段を備え、前記体調設定手段で入力した体調に応じて第１の所定時間を変更することを特徴とする請求項１に記載の給湯機。
【請求項５】
温冷浴運転動作時において、高温側の湯水から低温側の湯水への変化時には、高温側の湯水と低温側の湯水との間に設けた中温域の湯水で第２の所定時間出湯させた後に、低温側の湯水を出湯させることを特徴とする請求項１から４のいずれか１項に記載の給湯機。
【発明の詳細な説明】
【技術分野】
【０００１】
本発明は、給湯機に関連し、特に、熱源の出力制御に関する。
【背景技術】
【０００２】
従来の給湯機は、熱源で加熱した温水をシャワーヘッドなどの吐出部から出湯し、使用者はシャワー浴を楽しむことができるものがあった（例えば、特許文献１参照）。
【先行技術文献】
【特許文献】
【０００３】
【特許文献１】特開２００８−３０９４０７号公報
【発明の概要】
【発明が解決しようとする課題】
【０００４】
しかしながら、従来の給湯機では、ある一定の温度の湯をシャワーヘッドから出湯させるだけなので、温水の熱さで体が火照り、シャワー浴後には汗をかいてしまうため爽快さが不足してしまう場合があり、疲労感が残ってしまい快適性が損なわれてしまうという課題を有していた。
【０００５】
本発明は、前記従来の課題を解決するもので、心臓への負担を軽減し、快適性の向上した給湯機を提供することを目的とする。
【課題を解決するための手段】
【０００６】
前記従来の課題を解決するために、本発明の給湯機は、湯水を加熱する熱源と、熱源で加熱した温水の温度を検出する温度検出手段と、熱源から出湯する温度を調節する温度操作部と、熱源で加熱した温水を吐出する吐出部と、異なる温度の湯水を交互に出湯する運転動作を開始する温冷スイッチとを備え、温冷スイッチを操作して温冷浴運転動作を開始したときは、第１の所定時間は、温度検出手段で検出する温度が、温度操作部で設定した温度となるように熱源の出力を調節して吐出部から湯水を出湯させるとともに、第１の所定時間経過後は、異なる温度の湯水を交互に出湯させることを特徴とするものである。
【０００７】
これにより、異なる温度の湯水が交互に出湯するシャワー浴を行うことができるので、シャワー浴を行っている最中の心拍数を低下させ、心臓の負担を軽減して快適性を向上させることができる。さらに、異なる温度の湯水を交互に出湯させる前に、第１の所定時間は、熱源で加熱した温水を出湯させるので、いきなり使用者に冷水を浴びせることなく、心拍数の急激な変動を防ぐことができる。
【発明の効果】
【０００８】
本発明は、心臓への負担を軽減し、快適性の向上した給湯機を提供することができる。
【図面の簡単な説明】
【０００９】
【図１】本発明の実施の形態１における給湯機の正面外観図
【図２】同実施の形態１における要部外観図
【図３】同実施の形態１における給湯機の構成図
【図４】同実施の形態１における連続浴時の温度センサ３１の検出温度の変化図
【図５】同実施の形態１における要部外観図
【図６】同実施の形態１における温冷浴時の温度センサ３１の検出温度の変化図
【図７】同実施の形態１における心拍数の状態を示した図
【図８】同実施の形態１における心拍数の状態を示した図
【図９】（ａ）同実施の形態１における心拍数の変化図（ｂ）同実施の形態１における心拍数の変化図
【図１０】同実施の形態１におけるα波の含有率を示した図
【図１１】同実施の形態１におけるα波の変化を示した図
【図１２】同実施の形態１における温冷浴時の温度センサ３１の検出温度の変化図
【図１３】同実施の形態１における温冷浴のみの心拍数の変化図
【図１４】同実施の形態１における連続浴の後、温冷浴を行った時の心拍数の変化図
【図１５】同実施の形態２における給湯機の構成図
【図１６】同実施の形態３における給湯機の構成図
【図１７】同実施の形態４における給湯機の要部外観図
【図１８】同実施の形態５における温冷浴時の温度センサ３１の検出温度の変化図
【発明を実施するための形態】
【００１０】
第１の発明の給湯機は、湯水を加熱する熱源と、熱源で加熱した温水の温度を検出する温度検出手段と、熱源から出湯する温度を調節する温度操作部と、熱源で加熱した温水を吐出する吐出部と、異なる温度の湯水を交互に出湯する運転動作を開始する温冷スイッチとを備え、温冷スイッチを操作して温冷浴運転動作を開始したときは、第１の所定時間は、温度検出手段で検出する温度が、温度操作部で設定した温度となるように熱源の出力を調節して吐出部から湯水を出湯させるとともに、第１の所定時間経過後は、異なる温度の湯水を交互に出湯させることを特徴とするものである。
【００１１】
これにより、異なる温度の湯水が交互に出湯するシャワー浴を行うことができるので、シャワー浴を行っている最中の心拍数を低下させ、心臓の負担を軽減して快適性を向上させることができる。さらに、異なる温度の湯水を交互に出湯させる前に、第１の所定時間は、熱源で加熱した温水を出湯させるので、いきなり使用者に冷水を浴びせることなく、心拍数の急激な変動を防ぐことができる。
【００１２】
第２の発明の給湯機は、特に第１の発明において、熱源で加熱される前の湯水の温度を検出する入水温度検出手段を備え、入水温度検出手段で検出される入水温度に応じて、第１の所定時間の長さを変更することにより、季節に応じて変化する入水温度の状況を見ながら第１の所定時間が変更して体を十分に温めることができ、体が十分に温まった後で温冷浴運転が開始するので、急激な心拍数の変動を防ぐことができる。
【００１３】
第３の発明の給湯機は、特に第１の発明において、外気の温度を検出する外気温度検出手段を備え、外気温度検出手段で検出される外気温度に応じて、第１の所定時間の長さを変更することにより、季節に応じて変化する外気温度の状況を見ながら第１の所定時間が変更して体を十分に温めることができ、体が十分に温まった後で温冷浴運転が開始するので、急激な心拍数の変動を防ぐことができる。
【００１４】
第４の発明の給湯機は、特に第１から第３のいずれかの発明において、第１の所定時間を設けるかの有無を体調に応じて選択する体調入力手段を備えたことにより、体調がいいときには、第１の所定時間を設けることなくいきなり温冷浴運転を開始し、体調が不調のときには、第１の所定時間を設けて温冷浴運転を開始して、心拍数の急激な変動を抑えることができる。
【００１５】
第５の発明の給湯機は、特に第１から第４のいずれかの発明において、温冷浴運転動作時において、高温側の湯水から低温側の湯水への変化時には、高温側の湯水と低温側の湯水との間に設けた中温域の湯水で第２の所定時間出湯させた後に、低温側の湯水を出湯させることにより、高温側から中温域の温水へ一旦変更したあとに、中温域の温水から低温
側へ変更するので、高温側から低温側への急激な温度変化を起こすことなく、使用者の心拍数の急激な変動を抑えることができる。
【００１６】
以下、本発明の実施の形態について、図面を参照しながら説明する。なお、この実施の形態によって本発明が限定されるものではない。
【００１７】
（実施の形態１）
図１は、実施の形態１における給湯機の外観正面図であり、図２は要部詳細図であり、図３は、本実施の形態１における給湯機の構成図である。まず図１〜図３を用いて、本実施の形態１における給湯機の外観構成について説明する。図１に示すように、本実施の形態における給湯機は、外郭を構成する筐体１と、筐体１内の給湯配管１４から外部に湯が出湯する給湯口２と、筐体１内の給水配管１５へ湯水を供給する給水口３とを有している。
【００１８】
そして給湯口２には給湯経路の一部を構成するシャワーホース４が接続され、シャワーホース４の端部には吐出部であるシャワーヘッド５を備えており、給湯機の使用時には、シャワーヘッド５から使用者へ向かって湯水が吐出される。
【００１９】
また、給水口３には給水量を調節する流量調節バルブ６が取り付けられ、給水源から入水管７を介して給水口３へ給水される給水量を調節する。通常、給湯機を設置した時に流量調節バルブ６を操作して給水量を設定するが、給湯機の使用時であっても、使用者が流量調節バルブ６を操作することで、給湯機への給水量を設定することができる。
【００２０】
また、筐体１の正面にはシャワーヘッド５からの温水の出湯を開始／停止するための出湯スイッチ８を有しており、給湯機の停止時から使用者が出湯スイッチ８を１度押すと、シャワーヘッド５から温水が吐出し、さらにもう一度出湯スイッチ８を押すと、シャワーヘッド５から吐出中の温水が停止する。
【００２１】
また、高温側の温度と低温側の温度の２つを設定できるようになっている。図２に示すように、操作部５２を操作することによって、表示部５１に温度設定画面を表示する。そして、操作部５２を操作して、高温側の湯水の温度Ｔｘと低温側の湯水の温度Ｔｙとを設定する。図２では、高温側の湯水の温度を４２℃に設定し、低温側の湯水の温度を３５℃に設定している。
【００２２】
さらに、図１および図２に示すように、ＯＮボタン１０ａおよびＯＦＦボタン１０ｂを備えた温冷スイッチ１０を有しており、さらにＯＮボタン１０ａを押した時に点灯する温冷ランプ１１を有している。つまり、温冷スイッチ１０がＯＮになっているときには、温冷ランプ１１が点灯することによって、使用者は温冷スイッチ１０がＯＮになっていることが分かる。
【００２３】
また、図３に示すように、筐体１の内部には、湯水を少量貯めるタンク１２と、湯水を加熱する熱源であるヒータ１３が配設されており、タンク１２の内部にヒータ１３を配置している。また、タンク１３で加熱された温水を給湯口２へ導くための給湯配管１４と、給水口３から低温水をタンク１３へ導くための給水配管１５とを有している。給水配管１５はタンクの底部に接続され、給湯配管１４の端部はタンク１２内に埋設され、タンク１２の上部の温水が供給されるようになっている。
【００２４】
そして、給水配管１５には供給される水量を検出するための流量検出手段である流量センサ１６と、給水配管１５の水流路の開閉を行う止水栓１７が設けられており、止水栓１７が開くとタンク１２へ給水され、止水栓１７が閉じるとタンク１２への給水が停止する
。さらに、流量調節バルブ６を操作することによって給水口３へ供給される湯水の流量を調節する流量調節弁２３を筐体１の外部に設けている。
【００２５】
また、ヒータ１３で加熱した湯の温度を検出する温度検出手段である温度センサ３１を備えている。そして通常のシャワー浴時には、使用者は操作部５２を操作することによって温度Ｔｘ（高温側）を設定し、温度センサ３１で検出する温度が設定した温度Ｔｘとなるようにヒータ１３の出力が調節される。また、温度センサ３１はタンク１２内に配設され、給湯配管１４に供給する湯水の温度を検出している。
【００２６】
さらに、ヒータ１３の制御を行うために電子部品等で構成される電源制御装置１８が設けられ、電源制御装置１８はヒータ通電制御素子１９を介してヒータ１３の電力制御を行っている。また、熱源調整ボリューム９によって決定された出力となるようにヒータ１３の出力制御を行う電子部品等で構成される熱源制御装置２０、温冷スイッチ１０からの支持を受けてヒータ１３の制御を行う電子部品等で構成される温冷水制御装置２１が設けられている。
【００２７】
また、外部電源から各構成部品への電源供給を行う電源スイッチ２２が設けられており、出湯スイッチ８を操作することによって電源スイッチ２２のＯＮ・ＯＦＦを行う。なお、本実施の形態では、電源制御装置１８、熱源制御装置２０、温冷水制御装置２１と３つの制御装置を設けて説明するが、これらが一体的に構成された制御装置であっても問題はない。また、それぞれの制御装置はマイクロコンピュータおよびその周辺を構成する電子部品で構成されていてもよい。
【００２８】
以上のように構成された給湯機について、以下、その動作・作用について説明する。
【００２９】
本実施の形態の給湯機を使用する場合、まず、出湯スイッチ８を一度押す。出湯スイッチ８が押されると、止水栓１７が開栓するとともに、電源スイッチ２２がオンして各構成部品への電源供給が開始する。そして、止水栓１７が開栓した結果、給水口３へ給水が開始され、流量センサ１６で給水流量を検知し、流量センサ１６で所定流量（例えば、毎分１Ｌ）を検知すると、ヒータ通電制御素子（例えば、トライアック）１９を介して電源制御装置１８がヒータ１３の電力制御を行う。
【００３０】
まず、温冷ランプ１１が消灯しているときの連続浴時のシャワー浴について説明する。図４は、シャワーヘッド５から出湯しているときの、温度センサ３１で検出する温度の変化を示した図である。図４に示すように、温冷ランプ１１が消灯しているときの通常のシャワー浴では、温度センサ３１で検出する温度が、操作部５２で設定した温度Ｔｘとなるように、ヒータ１３の出力が制御されている。
【００３１】
まず、使用者は、出湯スイッチ８を押してシャワーヘッド５からの温水の吐出を開始する。この時、電源スイッチ２２もＯＮとなり、各制御装置等に電源が供給される。そして、流量センサ１６で所定流量を検出すると、ヒータ１３への通電を開始してタンク１２内の湯水を温め始める。なお、本実施の形態では、流量センサで毎分１Ｌの流量を検出すると、ヒータ１３への通電を開始しているが、所定流量はこれに限定されることはない。
【００３２】
そして使用者は、操作部５２を操作して高温側の湯水の温度Ｔｘを設定する。その結果、図４に示すように、出湯スイッチ８を押してシャワーヘッド５からの出湯を開始しても、温冷スイッチ１０がＯＦＦしている時は、温度センサ３１で検出する温度が、操作部５２で設定された高温側の湯水の温度Ｔｘとなるようにヒータ１３の出力が調節される。
【００３３】
そして、再度、使用者が出湯スイッチ８を押してシャワーヘッド５からの出湯を停止す
ると、ヒータ１３からの出力も停止し、使用者はシャワー浴を終了する。
【００３４】
次に、温冷ランプ１１が点灯しているときの温冷浴時のシャワー浴について説明する。
【００３５】
図５は、本実施の形態の給湯機の要部外観図である。図５に示すように、操作部５２を操作することによって、表示部５１に時間設定画面を表示する。そして、操作部５２を操作して、高温側の湯水の出湯時間Ｌａと低温側の湯水の出湯時間Ｌｂとを設定する。図５では、高温側の湯水の出湯時間を３０秒に設定し、低温側の湯水の出湯時間を３０秒に設定している。このように両方を設定することができるため、使用者の好みに合わせて出湯時間を設定でき、多種多様な要求に使用を合わせることができる。なお、本実施の形態では高温側の湯水の出湯時間Ｌａと、低温側の湯水の出湯時間Ｌｂとを設定可能に構成したが、これに限定されることは無く、予め設けた所定の時間ごとに高温と低温とを繰り返す構成でもよい。
【００３６】
まず、出湯スイッチ８を押して、シャワーヘッド５からの出湯を開始する。そして、操作部５２を操作することによって、高温側の湯水の温度Ｔｘおよび低温側の湯水の温度Ｔｙを設定し、さらに、高温側の湯水の出湯時間Ｌａと低温側の湯水の出湯時間Ｌｂとを設定する。温冷スイッチ１０のＯＮボタン１０ａを押す前は、シャワーヘッド５からは、設定温度Ｔｘの湯水が出湯されている。本実施の形態では、高温側の湯水の温度Ｔｘを４２℃に設定し、低温側の湯水の温度を３５℃に設定し、出湯時間ＬａおよびＬｂをそれぞれ３０秒としている。
【００３７】
次に、温冷スイッチ１０のＯＮボタン１０ａを押す。ＯＮボタン１０ａを押すと、温冷浴モードに移行し、温冷ランプ１１が点灯する。そして温冷水制御装置２１は、ＯＮボタン１０ａが押されてから所定時間をカウントし始め、ＯＮボタン１０ａが押されてから第１の所定時間である所定時間Ｌａの間は、温度センサ３１で検出される温度が設定温度Ｔｘとなるように、ヒータ１３の出力が調節される。
【００３８】
図６は、温冷浴運転時の温度センサ３１の検出温度の変化を示した図である。そして、所定時間Ｌａが経過すると、温度センサ３１で検出される温度が設定温度Ｔｙとなるように、ヒータ１３の出力が調節される。そしてヒータ１３の出力を変更してから、温冷制御装置２１は所定時間をカウントし始め、所定時間Ｌｂが経過するまでは、設定温度Ｔｙとなるようにヒータ１３の出力が調節される。そして、所定時間Ｌｂが経過すると、再度、温度センサ３１で検出される温度が設定温度Ｔｘとなるようにヒータ１３の出力が調節され、所定時間Ｌａをカウント始め、それ以降は上記動作を繰り返す。
【００３９】
図７は、温冷スイッチ１０をＯＦＦしている時の連続浴と、温冷スイッチ１０をＯＮしている時の温冷浴のそれぞれの心拍数の状態を示した図である。図７で示す実験では、１０分間のシャワー浴を行い、シャワー浴中の心拍数の測定を行った。なお、図７に示す折れ線グラフＰは連続浴（温冷スイッチ１０がＯＦＦ）時の心拍数の変化を示し、折れ線グラフＱは温冷浴（温冷スイッチ１０がＯＮ）時の心拍数の変化を示している。
【００４０】
そして連続浴時には、シャワーの温度は３８℃とし１０分間シャワー浴を行い、温冷浴時には、シャワーの高温側の温度は３８℃、低温側の温度は２５℃として、３０秒間隔で３８℃の湯水と２５℃の湯水を交互にシャワーヘッド５から出湯させて１０分間シャワー浴を行った。その結果、連続浴時の平均心拍数は９２ｂｐｍであったのに対し、温冷浴時の平均心拍数は８０ｂｐｍであった。
【００４１】
また、図８は、温冷スイッチ１０をＯＦＦにしている時の連続浴と、温冷スイッチ１０をＯＮにしている時の温冷浴のそれぞれの心拍数の状態を示した図である。また、図９（
ａ）（ｂ）は連続浴時および温冷浴モード時の平均心拍数を示した図である。図８および図９に示す実験では、温冷スイッチ１０がＯＦＦの時と、ＯＮの時の健康な男性による心拍数の変化を測定した。具体的には、始めに５分間の運動を行い、その後、１分間の休憩を挟んで、１０分間のシャワー浴を行うという一連の行動について心拍数の測定を行った。なお、図６に示す折れ線グラフＸは連続浴時の心拍数の変化を示し、折れ線グラフＹは温冷浴時の心拍数の変化を示している。
【００４２】
図８、図９（ａ）（ｂ）に示すように、連続浴および温冷浴ともに運動時の平均心拍数は、１４０ｂｐｍであった。そして、運動後、１分間の休憩の後、１０分間のシャワー浴を行った。その結果、温冷スイッチ１０がＯＦＦの時の連続浴時（シャワー温度は３８℃）は、平均心拍数が１１５ｂｐｍであったのに対して、温冷スイッチ１０がＯＮの時の温冷浴モード時は、平均心拍数９８となり、連続浴時に比べて心拍数が低下していることが分かる。なお、温冷浴モード時の高温側の温度は３８℃、低温側の温度は２５℃、所定時間αは３０秒として心拍数の測定をおこなっている。
【００４３】
このように、本実施の形態では、ヒータ１３への通電を所定時間毎にＯＮ／ＯＦＦすることによって、使用者は、高温水と低温水とを交互に定期的に浴びることができ、非常に健康に良い。また、図７〜図９に示すように、温冷浴を行うことによって、平均心拍数を下げることができるため、使用者の心臓の負担を軽減し、快適なシャワー浴を行うことができ、心拍数が低いということは疲労回復にも効果がある。
【００４４】
また、本実施の形態では、ヒータ１３の出力を、所定時間Ｌａおよび所定時間Ｌｂ毎に切り替えるため、使用者は、高温水と低温水とを交互に定期的に浴びることができ、非常に健康に良い。また、温冷浴を行うことによって、平均心拍数を下げることができるため、使用者の心臓の負担を軽減し、快適なシャワー浴を行うことができる。
【００４５】
また、所定時間毎にヒータ１３の出力を変更するので、消費電力を削減することができ、ヒータ１３への通電を停止した時間分だけ消費電力を削減することができる。
【００４６】
さらに、高温側の湯水の出湯時間Ｌａと低温側の湯水の出湯時間Ｌｂとを使用者の好みに合わせて設定することができるので、使用性を向上させることができる。
【００４７】
また、図１０および図１１は、連続浴時と温冷浴時のα波値を示した図である。α波とは、脳波測定結果を周波数分析し８〜１３Ｈｚの周波数の脳波のことを言う。一般的に、快適と感じているときにα波が多く出る傾向にある。
【００４８】
図１０および図１１を見てみると、連続浴のシャワーを浴びる前のα波の含有率が４２．８８％であるのに対して、連続浴のシャワーを浴びた後のα波の含有率は４０．５２％であった。一方、温冷浴のシャワーを浴びる前のα波の含有率が４６．９４％であるのに対して、温冷浴のシャワーを浴びた後のα波の含有率は５６．７５％であった。このように温冷浴のシャワーを浴びた時には顕著にα波が増加していることが分かり、使用者がリラックス状態であることが分かる。
【００４９】
ところで、上記で説明した温冷浴運転では、高温湯と低温湯とを交互に浴びることになり、使用者にとっては、体が十分温まりきっていないところに低温湯をあびることになり、心拍数が急激に増加してしまう場合がある。そこで、本実施の形態では、温冷浴運転を開始してから第１の所定時間Ｌａ’（例えば、３分間）の間は設定温度Ｔｘの温水を出湯するようにしている。なお、所定時間Ｌａ＜第１の所定時間Ｌａ’の関係を有している。
【００５０】
図１２は、温冷浴運転時の温度センサ３１の検出温度の変化を示した図である。図１２
に示すように、ＯＮボタン１０ａを押して温冷浴運転を開始すると、初めの第１の所定時間Ｌａ’の間は設定温度Ｔｘとなるように湯水を出湯する。そして第１の所定時間Ｌａ’の間に体が温まることになる。その後、第１の所定時間Ｌａ’が経過すると、低温側の設定温度Ｔｙとなるようにヒータ１３の出力が変更され、低温湯が出湯されることになる。
【００５１】
その後、操作部５２で設定した所定時間Ｌｂを経過すると、再度、温度センサ３１で検出する温度が設定温度Ｔｘとなるようにヒータ１３の出力が変更され、所定時間Ｌａの間設定温度Ｔｘで保たれ、以降、同じ動作を繰り返すことになる。つまり、本実施の形態では、第１の所定時間Ｌａ’の間は連続浴で体を温めた後、温冷浴運転を開始してリラックス効果を高めている。
【００５２】
図１３は連続浴を行わずにいきなり温冷浴を行った時の心拍数の変化を示した図であり、図１４は連続浴を行った後に温冷浴を行った時の心拍数の変化を示した図である。図１３に示すように、連続浴を行わずいきなり温冷浴を行った場合、温冷欲を開始してすぐに心拍数が急激に変動し、１０４．０ｂｐｍまで上昇した。そして１０分間の温冷浴を行った結果、平均心拍数が７７．６ｂｐｍとなった。
【００５３】
一方、図１４に示すように、連続浴を３分間行った後に、温冷浴を１０分間行った結果、初めの連続浴では平均心拍数が７８．３ｂｐｍであり、温冷浴を開始後の平均心拍数が７６．０ｂｐｍとなった。さらに、連続浴から温冷浴へと変わってすぐに、心拍数が上昇したが、心拍数のピーク値は８９．０ｂｐｍであった。
【００５４】
このように、図１３および図１４から分かるように、連続浴を行って体を温めた後に、温冷浴を開始すると心拍数の急激な変動を抑えることができ、心臓への負担を軽減することができる。
【００５５】
なお、本実施の形態では、低温側の設定温度Ｔｙを設定可能に構成したが、これに限定されず、低温側の設定温度を、ヒータ１３の出力をゼロとした加熱する前の湯水の温度としてもよい。
【００５６】
（実施の形態２）
本実施の形態２では、給水配管１５には入水温度を検出する入水温度検出手段である温度センサ３２が設けられており、入水温度を検出することができる。また、実施の形態１と同じ部位については、実施の形態１と同じ符号を付して、その説明を省略する。図１５は、実施の形態２における給湯機の構成図である。
【００５７】
実施の形態１では、温冷浴運転の開始時には、予め設定された第１の所定時間Ｌａ’（例えば、３分）連続浴運転を行い、第１の所定時間Ｌａ’が経過した後、温冷浴運転を開始したが、本実施の形態では、入水温度に基づいて第１の所定時間Ｌａ’の長さを変更することができる。これは、冬季など入水温度が低い場合には、十分体を温めてから温冷浴を行った方が、心拍数の変動を抑えることができるためである。
【００５８】
つまり、本実施の形態では、温度センサ３２で検出する入水温度が、所定温度Ｔｉ（例えば、３０℃）よりも上回るときには、第１の所定時間Ｌａ’を予め設定されている時間とし、温度センサ３２で検出する入水温度が、所定温度Ｔｉを下回るときには、第１の所定時間Ｌａ’を延長し、連続浴運転の時間を長くする。なお、入水温度が所定温度Ｔｉを下回る時の第１の所定時間Ｌａ’の延長時間幅は、入水温度が所定温度Ｔｉを下回る時は一律所定時間だけ延長するようにしてもよいし、入水温度と延長時間幅の関数を予め設定しておき、入水温度に対応する延長時間幅だけ第１の所定時間Ｌａ’を延長するようにしてもよい。
【００５９】
（実施の形態３）
本実施の形態３では、筐体１の内部に外気温度を検出する外気温度検出手段である温度センサ３３が設けられており、外気温度を検出することができる。また、実施の形態１および２と同じ部位については、同じ符号を付してその説明を省略する。図１６は、実施の形態３における給湯機の構成図である。
【００６０】
実施の形態１では、温冷浴運転の開始時には、予め設定された第１の所定時間Ｌａ’（例えば、３分）連続浴運転を行い、第１の所定時間Ｌａ’が経過した後、温冷浴運転を開始したが、本実施の形態では、外気温度に基づいて第１の所定時間Ｌａ’の長さを変更することができる。これは、冬季など外気温度が低い場合には、十分体を温めてから温冷浴を行った方が、心拍数の変動を抑えることができるためである。
【００６１】
つまり、本実施の形態では、温度センサ３３で検出する外気温度が、所定温度Ｔｇ（例えば、２５℃）よりも上回るときには、第１の所定時間Ｌａ’を予め設定されている時間とし、温度センサ３３で検出する外気温度が、所定温度Ｔｇを下回るときには、第１の所定時間Ｌａ’を延長し、連続浴運転の時間を長くする。なお、外気温度が所定温度Ｔｇを下回る時の第１の所定時間Ｌａ’の延長時間幅は、外気温度が所定温度Ｔｇを下回る時は一律所定時間だけ延長するようにしてもよいし、外気温度と延長時間幅の関数を予め設定しておき、外気温度に対応する延長時間幅だけ第１の所定時間Ｌａ’を延長するようにしてもよい。
【００６２】
（実施の形態４）
図１７は、本実施の形態４の給湯機の要部外観図である。図１７に示すように、操作部５２を操作することによって、表示部５１に体調設定手段である体調設定画面を表示する。そして、体調設定画面では使用者のその日の体調を入力することができる。なお、本実施の形態では、３種類の選択肢（「ＧＯＯＤ」「ＭＩＤ」「ＢＡＤ」）から選ぶことができるようにしており、「ＧＯＯＤ」「ＭＩＤ」「ＢＡＤ」の順に体調が悪くなっている。
【００６３】
そして、使用者が入力した体調に合わせて、第１の所定時間Ｌａ’を変更することができ、その日の体調に合わせて連続浴の時間を変更することができる。その結果、体調不良で体が十分温まらないうちに、冷水を浴びて冷たさによる心拍数の急激な変化や、不快感を感じることを防止するためである。
【００６４】
まず、使用者が「ＧＯＯＤ」を選択すると、第１の所定時間Ｌａ’は予め設定された時間をそのまま使用し、延長時間を設けない。次に、使用者が「ＭＩＤ」を選択すると、第１の所定時間Ｌａ’を少し延長して連続浴運転を行う。さらに、使用者が「ＢＡＤ」を選択すると、第１の所定時間Ｌａ’をさらに延長して連続浴運転を行う。このように、体調が悪いほど、連続浴の時間を延長することによって、体調不良時の心拍数の急激な変動を抑えることができる。
【００６５】
（実施の形態５）
本実施の形態５では、温冷浴運転時に高温側の設定温度Ｔｘから低温側の設定温度Ｔｙへと変化させるときに、まず設定温度Ｔｘと設定温度Ｔｙとの間に設けた中温域の設定温度Ｔｚの湯水を第２の所定時間Ｌｃだけ出湯させてから、設定温度Ｔｙへと変化させるようにしている。これは、高温側から低温側へと湯水の温度を変化させるときに、急激に温度変化をさせずに、いったん中温域の湯水を出湯させることによって、使用者の心臓への負担をさらに軽減させることができる。
【００６６】
図１８は、本実施の形態５における温度センサ３１で検出する出湯温度の変化図である
。図１８に示すように、温冷浴運転を開始すると、第１の所定時間Ｌａ’の間は、高温側の設定温度Ｔｘとなる温度の湯水を出湯させる。つぎに第１の所定時間Ｌａ’が経過すると、温度センサ３１で検出する温度が、設定温度Ｔｘと設定温度Ｔｙとの間の設定温度Ｔｚとなるようにヒータ１３の出力を調整する。そして、温度センサ３１で検出する温度が、設定温度Ｔｘから設定温度Ｔｚへと変化させると、第２の所定時間Ｌｃの間だけ設定温度Ｔｚとなるようにヒータ１３の出力を固定する。なお、本実施の形態では、設定温度Ｔｚ＝（設定温度Ｔｘ＋設定温度Ｔｙ）／２となるように設定しているが、設定温度Ｔｚの算出方法はこれに限定されることはない。
【００６７】
次に、第２の所定時間Ｌｃが経過すると、温度センサ３１で検出する温度が設定温度Ｔｙとなるようにヒータ１３の出力を調節する。
【００６８】
このように、高温側の設定温度Ｔｘから低温側への設定温度Ｔｙへと変化させるときに、中温域の設定温度Ｔｚへ一旦変化させた後、第２の所定時間経過後、設定温度Ｔｙへと変化させることによって、徐々に体を低温水に慣らすことができ、心臓への負担を軽減し、心拍数の急激な変動を軽減させることができる。
【産業上の利用可能性】
【００６９】
以上のように、本発明の給湯機は、使用者がシャワー浴を行う時に、通常のシャワー浴に加えて、異なる温度の湯水を交互に出湯することによって、心臓への負担を低減し、疲労回復および健康増進を図ることができ、さらには通常のシャワー浴に比べて、消費電力を低減することができるので、非常に環境に配慮した給湯機であり、実施の形態では熱源にヒータを使用した給湯機について説明したが、熱源がヒートポンプやガスなどの熱源であっても、本発明を適用することができる。
【符号の説明】
【００７０】
１  筐体
２  給湯口
３  給水口
４  シャワーホース
５  シャワーヘッド
６  流量調節バルブ
７  入水管
８  出湯スイッチ
９  熱源調整ボリューム
１０  温冷スイッチ
１０ａ  ＯＮボタン
１０ｂ  ＯＦＦボタン
１１  温冷ランプ
１２  タンク
１３  ヒータ
１４  給湯配管
１５  給水配管
１６  流量センサ
１７  止水栓
１８  電源制御装置
１９  ヒータ通電制御素子
２０  熱源制御装置
２１  温冷水制御装置
２２  電源スイッチ
３０  温度ボリューム
３１  温度センサ
３２  温度センサ（入水温度検出手段）
３３  温度センサ（外気温度検出手段）
５１  表示部
５２  操作部
【図１３】
2011089692.tif 000003
【図１４】
2011089692.tif 000004
【図１】
2011089692.tif 000005
【図２】
2011089692.tif 000006
【図３】
2011089692.tif 000007
【図４】
2011089692.tif 000008
【図５】
2011089692.tif 000009
【図６】
2011089692.tif 000010
【図７】
2011089692.tif 000011
【図８】
2011089692.tif 000012
【図９】
2011089692.tif 000013
【図１０】
2011089692.tif 000014
【図１１】
2011089692.tif 000015
【図１２】
2011089692.tif 000016
【図１５】
2011089692.tif 000017
【図１６】
2011089692.tif 000018
【図１７】
2011089692.tif 000019
【図１８】
2011089692.tif 000020